(57)【要約】【課題】本発明は、簡略な構成でありながら実と皮が混在する粉砕コーヒー豆からその実と皮とを効率よく、かつ、確実に分別できる粉砕コーヒー豆分別処理装置を提供する。【解決手段】本発明の粉砕コーヒー豆分別処理装置１は、上端に焙煎し実と皮が混在する粉砕コーヒー豆の受入口３を、内部に粉砕コーヒー豆用の落下流路１７を、下端に放出口５を設けた本体部２と、この本体部２の一方の側壁部１１ａに設けた空気導入部１４と、本体部２における他方の側壁部１１ｂに設けた空気通過穴部１５と、他方の側壁部１１ｂの外壁に添設した各空気通過穴部１５に連通する排出ダクト部３０と、この排出ダクト部３０に接続され、曲折した落下流路１７内を落下する実と皮が混在する粉砕コーヒー豆に吸引力を作用して、粉砕コーヒー豆のうちの皮のみを本体部２内から吸引除去し、粉砕コーヒー豆のうちの実は落下流路１７内を本体部２下端の放出口５に自重落下させる吸引ブロワーと、を有するものである。【選択図】図４
2008104651.tif 000002
【特許請求の範囲】
【請求項１】
焙煎したコーヒー豆を粉砕した後の実と皮が混在する粉砕コーヒー豆を分別処理する粉砕コーヒー豆分別処理装置であって、
上端に実と皮が混在する前記粉砕コーヒー豆の受入口を設け、内部に実と皮が混在する粉砕コーヒー豆用の落下流路を設けているとともに、下端に放出口を設けた略四角筒状の本体部と、
この本体部の一方の側壁部に設けた空気導入部と、
前記本体部における一方の側壁部と対向する他方の側壁部に設けた空気通過穴部と、
前記他方の側壁部の外壁に添設した前記各空気通過穴部に連通する排出ダクト部と、
この排出ダクト部に接続されて、排出ダクト部及び空気通過穴部を介して前記落下流路内を落下する実と皮が混在する粉砕コーヒー豆に吸引力を作用して、粉砕コーヒー豆のうちの皮のみを本体部内から吸引除去し、粉砕コーヒー豆の実は落下流路内を本体部下端の放出口に自重落下させる吸引手段と、
を有することを特徴とする粉砕コーヒー豆分別処理装置。
【請求項２】
焙煎したコーヒー豆を粉砕した後の実と皮が混在する粉砕コーヒー豆を分別処理する粉砕コーヒー豆分別処理装置であって、
上端に実と皮が混在する前記粉砕コーヒー豆の受入口を設け、内部に実と皮が混在する粉砕コーヒー豆用の落下流路を設けているとともに、下端に放出口を設けた略四角筒状の本体部と、
この本体部の一方の側壁部に間隔を隔てて上下方向に列設した複数の四角穴及び各四角穴の両長辺から本体部の内方中央に向けて斜めに下降する配置に取り付けた一対ずつの平行板により形成される複数個の空気導入部と、
前記本体部における前記一方の側壁部と対向する他方の側壁部に間隔を隔てて上下方向に穿設した複数個の空気通過穴部と、
前記本体部の他方の側壁部から前記複数個の空気通過穴部に連なる内方空間を区画する状態で内部中央に向けて斜めに下降し、かつ、その各内方端が前記複数個の空気導入部における各平行板の各内方端の間を占めるように各々位置をずらして配置され、前記本体部内において前記空気導入部の平行板とともに実と皮が混在する粉砕コーヒー豆用の曲折した落下流路を前記受入口から放出口に至る範囲に形成する複数個の傾斜仕切り板と、
前記他方の側壁部の外壁に添設した前記各空気通過穴部に連通する吸引流路を有する排出ダクト部と、
この排出ダクト部の端部側に接続されて、前記排出ダクト部、各空気通過穴部を介して前記曲折した落下流路内を落下する実と皮が混在する粉砕コーヒー豆に吸引力を作用して、粉砕コーヒー豆のうちの皮のみを本体部内から吸引除去し、粉砕コーヒー豆の実は落下流路内を本体部下端の放出口に自重落下させる吸引手段と、
を有することを特徴とする粉砕コーヒー豆分別処理装置。
【請求項３】
焙煎したコーヒー豆を粉砕した後の実と皮が混在する粉砕コーヒー豆を分別処理する粉砕コーヒー豆分別処理装置であって、
上端に実と皮が混在する前記粉砕コーヒー豆の受入口を設け、内部に実と皮が混在する粉砕コーヒー豆用の落下流路を設けているとともに、下端に放出口を設けた基台板を備えた略四角筒状の本体部と、
この本体部の一方の側壁部に間隔を隔てて上下方向に列設した複数の四角穴及び各四角穴の両長辺から本体部の内方中央に向けて斜めに下降する配置に取り付けた一対ずつの平行板により形成される複数個の空気導入部と、
前記本体部における前記一方の側壁部と対向する他方の側壁部に間隔を隔てて上下方向に穿設した複数個の空気通過穴部と、
前記本体部の他方の側壁部から前記複数個の空気通過穴部に連なる内方空間を区画する状態で内部中央に向けて斜めに下降し、かつ、その各内方端が前記複数個の空気導入部における各平行板の各内方端の間を占めるように各々位置をずらして配置され、前記本体部内において前記空気導入部の平行板とともに実と皮が混在する粉砕コーヒー豆用の曲折した落下流路を前記受入口から放出口に至る範囲に形成する複数個の傾斜仕切り板と、
前記他方の側壁部の外壁に添設した前記各空気通過穴部に連通する吸引流路及び端部接続板を有する排出ダクト部と、
前記両側壁部とともに本体部を形成する他の二つの側壁部に各々設けた前記傾斜仕切り板及び一対ずつの平行板の内方側並びに曲折した落下流路を表出させる縦長長方形状の表出用開口部及びこの表出用開口部全体を覆うように前記他の二つの側壁部に各々取り付けた透明板とから形成される視認窓部と、
前記排出ダクト部の端部接続板側に接続されて、前記排出ダクト部、各空気通過穴部を介して前記曲折した落下流路内を落下する実と皮が混在する粉砕コーヒー豆に吸引力を作用して、粉砕コーヒー豆のうちの皮のみを本体部内から吸引除去し、粉砕コーヒー豆の実は落下流路内を本体部下端の放出口に自重落下させる吸引手段と、
を有することを特徴とする粉砕コーヒー豆分別処理装置。
【請求項４】
焙煎したコーヒー豆を粉砕した後の実と皮が混在する粉砕コーヒー豆を分別処理する粉砕コーヒー豆分別処理装置であって、
上端に実と皮が混在する前記粉砕コーヒー豆の受入口を設け、内部に実と皮が混在する粉砕コーヒー豆用の落下流路を設けているとともに、下端に放出口を設けた基台板を備えた略四角筒状の本体部と、
この本体部の一方の側壁部に間隔を隔てて上下方向に列設した６個の四角穴及び各四角穴の両長辺から本体部の内方中央に向けて斜めに下降する配置に取り付けた一対ずつの平行板により形成される６個の空気導入部と、
前記本体部における前記一方の側壁部と対向する他方の側壁部に間隔を隔てて上下方向に穿設した６個の空気通過穴部と、
前記本体部の他方の側壁部から前記６個の空気通過穴部に連なる内方空間を区画する状態で内部中央に向けて斜めに下降し、かつ、その各内方端が前記６個の空気導入部における各平行板の各内方端の間を占めるように各々位置をずらして配置され、前記本体部内において前記空気導入部の平行板とともに実と皮が混在する粉砕コーヒー豆用の曲折した落下流路を前記受入口から放出口に至る範囲に形成する６個の傾斜仕切り板と、
前記他方の側壁部の外壁に添設した前記各空気通過穴部に連通する吸引流路及び末端排出口を有する排出ダクト部と、
前記両側壁部とともに本体部を形成する他の二つの側壁部に各々設けた前記傾斜仕切り板及び一対ずつの平行板の内方側並びに曲折した落下流路を表出させる縦長長方形状の表出用開口部及びこの表出用開口部全体を覆うように前記他の二つの側壁部に各々取り付けた透明板とから形成される視認窓部と、
前記排出ダクト部の端部接続板側に接続されて、前記排出ダクト部、各空気通過穴部を介して前記曲折した落下流路内を落下する実と皮が混在する粉砕コーヒー豆に吸引力を作用して、粉砕コーヒー豆のうちの皮のみを本体部内から吸引除去し、粉砕コーヒー豆の実は落下流路内を本体部下端の放出口に自重落下させる吸引手段と、
を有することを特徴とする粉砕コーヒー豆分別処理装置。
【発明の詳細な説明】
【技術分野】
【０００１】
本発明は、粉砕コーヒー豆分別処理装置に関し、詳しくは、コーヒー豆を焙煎し、粉砕して実と皮が混在する粉砕コーヒー豆からその実と皮とを効率よく分別することができる粉砕コーヒー豆分別処理装置に関するものである。
【背景技術】
【０００２】
一般に、美味しいコーヒーを煎じる場合には、コーヒー豆を焙煎し、これを粉砕して実と皮が混在する粉砕コーヒー豆を得た後、不要部分である（渋味のある）皮を除去し実のみを用いて煎じることが肝要である。
【０００３】
このような目的のために、特許文献１には、優良部分（実）、不良部分（皮）が混在している破砕コーヒー豆をホッパーから風洞内に投入し、送風機により風洞内に風を送風して、不良部分のみを風圧で側方に吹き飛ばし不良部分用のフィルターにより捕捉させ、他方、優良部分は吹き飛ばすことなく下方に落下させて優良部分用の容器内に収容するように構成したコーヒー豆の選別装置が提案されている。
【０００４】
この特許文献１のコーヒー豆の選別装置の場合、破砕コーヒー豆を落下させつつ優良部分、不良部分を風圧により選別するための風洞領域が比較的短く、このために、優良部分、不良部分の選別を充分に行うことが難しく、除去しきれない不良部分が優良部分用の容器内に収容されてしまう惧れがあった。
【特許文献１】特開平１０−１９１８８９号公報
【発明の開示】
【発明が解決しようとする課題】
【０００５】
本発明が解決しようとする問題点は、簡略な構成でありながら実と皮が混在する粉砕コーヒー豆からその実と皮とを効率よく、かつ、確実に分別することができる粉砕コーヒー豆分別処理装置が存在しない点である。
【課題を解決するための手段】
【０００６】
本発明の粉砕コーヒー豆分別処理装置は、焙煎したコーヒー豆を粉砕した後の実と皮が混在する粉砕コーヒー豆を分別処理する粉砕コーヒー豆分別処理装置であって、上端に実と皮が混在する前記粉砕コーヒー豆の受入口を、内部に実と皮が混在する粉砕コーヒー豆用の落下流路を、下端に放出口を設けた略四角筒状の本体部と、この本体部の一方の側壁部に設けた空気導入部と、前記本体部における前記一方の側壁部と対向する他方の側壁部に設けた空気通過穴部と、前記他方の側壁部の外壁に添設した前記各空気通過穴部に連通する排出ダクト部と、この排出ダクト部に接続され、排出ダクト部及び空気通過穴部を介して前記落下流路内を落下する実と皮が混在する粉砕コーヒー豆に吸引力を作用して、粉砕コーヒー豆のうちの皮のみを本体部内から吸引除去し、実は落下流路内を本体部下端の放出口に自重落下させる吸引手段と、を有することを最も主要な特徴とする。
【発明の効果】
【０００７】
請求項１記載の発明によれば、本体部の受入口に投入された実と皮が混在する粉砕コーヒー豆は、落下流路を落下するが、このとき、吸引手段が排出ダクト部及び空気通過穴部を介して前記落下流路内を落下する実と皮が混在する粉砕コーヒー豆に吸引力を作用して、粉砕コーヒー豆のうちの皮のみを本体部内から吸引除去し、実は落下流路内を本体部下端の放出口に自重落下させるので、簡略な構成でありながら実と皮が混在する粉砕コーヒー豆からその実と皮とを効率よく、かつ、確実に分別することができる粉砕コーヒー豆分別処理装置を提供することができる。
【０００８】
請求項２記載の発明によれば、請求項１記載の発明と同様な構成で、かつ、本体部に一対ずつの平行板により形成される斜めに下降する配置の複数個の空気導入部と、この複数個の空気導入部に対向する配置の複数個の空気通過穴部と、本体部内において空気導入部の平行板とともに実と皮が混在する粉砕コーヒー豆用の曲折した落下流路を前記受入口から放出口に至る範囲に形成する複数個の傾斜仕切り板と、を設けた構成で、請求項１記載の発明と同様、簡略な構成でありながら曲折した距離の長い落下流路を落下する実と皮が混在する粉砕コーヒー豆からその実と皮とを効率よく、かつ、確実に分別することができる粉砕コーヒー豆分別処理装置を提供することができる。
【０００９】
請求項３記載の発明によれば、請求項２の発明の構成に加えて、本体部に、前記傾斜仕切り板及び一対ずつの平行板の内方側並びに曲折した落下流路を表出させる縦長長方形状の表出用開口部及びこの表出用開口部全体を覆うように取り付けた透明板とから形成される視認窓部を設けているので、請求項２記載の発明と同様な効果を発揮し、かつ、曲折した距離の長い落下流路を落下する粉砕コーヒー豆の実と皮との分別状態を外部から視認することができる粉砕コーヒー豆分別処理装置を提供することができる。
【００１０】
請求項４記載の発明によれば、請求項３記載の発明と同様な構成で、かつ、６個の空気導入部、６個の空気通過穴部、６個の傾斜仕切り板を採用した構造として、本体部内において粉砕コーヒー豆を曲折した距離の長い落下流路内において合計１２回にわたって曲折させつつ吸引手段の吸引動作により実と皮とを効率よく、かつ、確実に分別することができる粉砕コーヒー豆分別処理装置を提供することができる。
【発明を実施するための最良の形態】
【００１１】
本発明は、簡略な構成でありながら実と皮が混在する粉砕コーヒー豆からその実と皮とを効率よく、かつ、確実に分別することができる粉砕コーヒー豆分別処理装置を提供するという目的を、焙煎したコーヒー豆を粉砕した後の実と皮が混在する粉砕コーヒー豆を分別処理する粉砕コーヒー豆分別処理装置であって、上端に実と皮が混在する前記粉砕コーヒー豆の受入口を、内部に実と皮が混在する粉砕コーヒー豆用の落下流路を、下端に放出口を設けた基台板を備えた略四角筒状の本体部と、この本体部の一方の側壁部に間隔を隔てて上下方向に列設した６個の四角穴及び各四角穴の両長辺から本体部の内方中央に向けて斜めに下降する配置に取り付けた一対ずつの平行板により形成される６個の空気導入部と、前記本体部における前記一方の側壁部と対向する他方の側壁部に間隔を隔てて上下方向に穿設した６個の空気通過穴部と、前記本体部の他方の側壁部から前記６個の空気通過穴部に連なる内方空間を区画する状態で内部中央に向けて斜めに下降し、かつ、その各内方端が前記６個の空気導入部の各平行板の各内方端の間を占めるように各々位置をずらして配置され、前記本体部内において前記空気導入部の平行板とともに実と皮が混在する粉砕コーヒー豆用の曲折した落下流路を前記受入口から放出口に至る範囲に形成する６個の傾斜仕切り板と、前記他方の側壁部の外壁に添設した前記各空気通過穴部に連通する吸引流路及び末端排出口を有する排出ダクト部と、前記両側壁部とともに本体部を形成する他の二つの側壁部に各々設けた前記傾斜仕切り板及び一対ずつの平行板の内方側並びに曲折した落下流路を表出させる縦長長方形状の表出用開口部及びこの表出用開口部全体を覆うように前記他の二つの側壁部に各々取り付けた透明板とから形成される視認窓部と、前記排出ダクト部の端部接続板側に接続され、前記排出ダクト部、各空気通過穴部を介して前記曲折した落下流路内を落下する実と皮が混在する粉砕コーヒー豆に吸引力を作用して、粉砕コーヒー豆のうちの皮のみを本体部内から吸引除去し、粉砕コーヒー豆のうちの実は落下流路内を本体部下端の放出口に自重落下させる吸引手段と、を有する構成により実現した。
【実施例】
【００１２】
以下に、本発明の実施例に係るコーヒー豆分別処理装置１について、図１乃至図６を参照して詳細に説明する。
【００１３】
本実施例に係るコーヒー豆分別処理装置１は、図１に示すように、焙煎したコーヒー豆を粉砕した後の実６１と皮６２が混在する粉砕コーヒー豆６０を分別処理する装置であって、図１に示すように、全体として略四角筒状の本体部２と、この本体部２に添設した排出ダクト部３０と、この排出ダクト部３０に接続した空気等を吸引する吸引手段である吸引ブロワー５０と、を有している。
【００１４】
前記本体部２は、上端に実６１と皮６２が混在する粉砕コーヒー豆投入用の四角形状の受入口３を有する上端部４を備えるとともに、下端に放出口５を設けた基台板６を一体的に備えている。
【００１５】
また、前記本体部２の一方の側壁部１１ａから本体部２の内方に至る領域に、間隔を隔てて上下方向に列設した６個の四角穴１２及び各四角穴１２の平行な両長辺から本体部２の内方中央に向けて斜めに下降（例えば垂直方向に対して４５度開いた角度）する配置に取り付けた一対ずつの平行な平行板１３ａ、１３ｂにより形成される６個の空気導入部１４を設けている。
【００１６】
更に、前記本体部２における前記一方の側壁部１１ａと対向する他方の側壁部１１ｂには、間隔を隔てて上下方向に穿設した６個の四角形状の空気通過穴部１５を設けている。
【００１７】
前記本体部２内には、前記他方の側壁部１１ｂから前記６個の空気通過穴部１５に各々連なる内方空間を区画する状態で内部中央に向けて斜めに下降し、かつ、その各内方端が前記６個の空気導入部１４における各平行板１３ａ、１３ｂの各内方端の間の位置を占めるように各々位置をずらして配置した６個の傾斜仕切り板１６を取り付けている。すなわち、各平行板１３ａ、１３ｂの各内方端と、傾斜仕切り板１６の各内方端とが接触せず、上下に空隙を有するように配置している。
【００１８】
また、各平行板１３ａ、１３ｂの各内方端と、傾斜仕切り板１６の各内方端とは、前記受入口３から投入される粉砕コーヒー豆６０が本体部２内を真っすぐに落下しないようにその側壁部１１ａ、１１ｂからの水平方向の突出寸法を設定している。すなわち、真上から見て各平行板１３ａ、１３ｂの各内方端と、傾斜仕切り板１６の各内方端とが重なり合うように設定している。
【００１９】
これにより、前記本体部２内において前記各空気導入部１４の各平行板１３ａ、１３ｂとともに前記実６１と皮６２が混在する粉砕コーヒー豆６０用の曲折した（くの字状と、逆くの字状が連続するように折れ曲がった）落下流路１７を前記受入口３から放出口５に至る範囲に形成するようになっている。
【００２０】
ここで、前記本体部２の６個の空気導入部１４、６個の空気通過穴部１５、６個の傾斜仕切り板１６について更に詳述する。前記本体部２は、全体形状が縦長直方体状を呈するように枠組みした内枠体２１と、この内枠体２１の前記側壁部１１ａ、１１ｂを形成する壁部２１ａ、２１ｂの外面を覆う肉厚が薄く外面を奇麗に仕上げた外装板２２との２重構造となっている。
【００２１】
すなわち、内枠体２１は、一方の側壁部１１ａを形成する壁部２１ａ側に６箇所にわたって前記平行板１３ａ、１３ｂ挿通用の四角孔を列設し、また、側壁部１１ｂを形成する壁部２１ｂ側に６個の四角形状の空気通過穴部１５を設け、更に側壁部１１ｃ、１１ｄを形成する壁部２１ｃ、２１ｄ側に各々縦長長方形状の表出用開口部１８を設けている。
【００２２】
そして、側壁部１１ａ側の壁部２１ａを覆う外装板２２に前記四角穴１２を形成するとともに、各四角穴１２の平行な両長辺から前記四角孔を貫いて本体部２の内方中央に向けて斜めに下降する配置に一対ずつの平行な平行板１３ａ、１３ｂを取り付けることで、合計６個の空気導入部１４を形成するようにしている。
【００２３】
また、側壁部１１ｂ側の壁部２１ｂを覆う外装板２２には、前記６個の空気通過穴部１５に各々対応する６個の四角形状の開口を設けて各空気通過穴部１５の空気の流通を確保するとともに、各開口部分から６個の傾斜仕切り板１６を各々本体部２内に向けて上述した如くに配置している。
【００２４】
前記外装板２２は、内枠体２１に対して六角ネジ２３及びナット２４を用いて一体的に取り付けるようにしている。
【００２５】
更に、内枠体２１の前記側壁部１１ｃ、１１ｄを形成する壁部２１ｃ、２１ｄ側に各々設けた縦長長方形状の表出用開口部１８は、図１、図４に示すように、前記傾斜仕切り板１６及び一対ずつの平行板１３ａ、１３ｂの内方側並びに曲折した落下流路１７を外部に表出させるためのものであり、前記壁部２１ｃ、２１ｄに対して表出用開口部１８全体を覆うように透明板（例えば、透明ガラス板又は透明合成樹脂板）１９を例えば６個のネジ２５を用いて一体的に取り付け、これら表出用開口部１８と透明板１９とにより、前記落下流路１７内を落下する前記実６１と皮６２が混在する粉砕コーヒー豆を外部から視認可能とする視認窓部２０を形成している。
【００２６】
前記本体部２の下端には、前記落下流路１７に連なる放出口５を設けた基台板６が固着され、本体部２を垂直配置又は略垂直配置に支持するようになっている。また、本体部２の基台板６に連なる下端領域は、図１、図４に示すように、側壁部１１ａ、１１ｂ間の寸法が基台板６側に至るほど漸減する形状としている。
【００２７】
前記本体部２の他方の側壁部１１ｂの外壁側には、前記各空気通過穴部１５に連通する吸引流路４１及び端部接続板４２を有する空洞の排出ダクト部３０を添設している。
【００２８】
前記排出ダクト部３０は、前記他方の側壁部１１ｂに６個の空気通過穴部１５を設けていることに対応して上方に至るほど吸引空気量が増えることから、最下段の空気通過穴部１５の下側から上方に至るほど側壁部１１ｂからの寸法が漸増し、本体部２の上端位置から上側は一定寸法の一対の添設側板３１を前記側壁部１１ｂに平行配置に、かつ、上下方向に沿って添設している。
【００２９】
更に、この一対の添設側板３１の上端部分に四角筒状に形成した連結筒３３を接着等で取り付けるとともに、最下段の空気通過穴部１５の下側から連結筒３３の下端まで前記一対の添設側板３１により形成される開口を塞ぐように化粧板３４を配置し、例えば６個のネジ３５を用いて化粧板３４を一対の添設側板３１に固着することで、前記６個の空気通過穴部１５に連通し、連結筒３３内を経て外部に通じる吸引流路４１を形成している。
【００３０】
前記連結筒３３の端面には、四角形状で外部機器等と接続するための孔４３を四隅に設け、かつ、前記連結筒３３の筒穴と同寸法の穴４２ａを設けた端部接続板４２を接着等で接合している。
【００３１】
前記排出ダクト部３０の端部接続板４２側には、具体的な接続構造は省略するが、図１に示すように吸引手段としての吸引ブロワー５０を接続している。
【００３２】
この吸引ブロワー５０は、前記排出ダクト部３０、各空気通過穴部１５を介して前記曲折した落下流路１７内を落下する実６１と皮６２が混在する粉砕コーヒー豆に吸引力を作用して、粉砕コーヒー豆６０のうちの重量が極めて軽い皮６２のみを落下流路１７から吸引し各空気通過穴部１５、前記吸引流路４１を経てコーヒー豆分別処理装置１の外部に除去し、粉砕コーヒー豆６０のうちの重量が皮６２に比べて大きい実６１は前記落下流路１７内を本体部２の放出口５、更にはその下方に自重で落下させるように構成している。
【００３３】
次に、本実施例に係るコーヒー豆分別処理装置１による粉砕コーヒー豆６０の分別処理動作について、図７をも参照して説明する。
【００３４】
本実施例に係るコーヒー豆分別処理装置１において、まず、前記本体部２を垂直配置とし、前記吸引ブロワー５０を動作状態とした後、本体部２の受入口３に焙煎され、実６１と皮６２が混在する粉砕コーヒー豆６０を投入する。
【００３５】
本体部２内に投入された粉砕コーヒー豆６０は、前記平行板１３ａ、１３ｂ、傾斜仕切り板１６により形成される曲折し距離の長い落下流路１７を、前記各平行板１３ａ、１３ｂ、各傾斜仕切り板１６に衝突しつつ放出口５に向けて順に落下するが、このとき、前記吸引ブロワー５０の吸引動作によって、排出ダクト部３０及び各空気通過穴部１５を介して前記落下流路１７内を落下する実６１と皮６２が混在する粉砕コーヒー豆６０に吸引力を作用して、６個の空気導入部１４から空気を吸い込み、この空気流により粉砕コーヒー豆６０のうちの重量が小さい皮６２のみを本体部２内から６個の空気通過穴部１５を通過させ、排出ダクト部３０の吸引流路４１を経て外部に吸引除去することができる。他方、皮６２に比べ重量が大きい実６１は、前記吸引ブロワー５０の吸引力を適切に設定することによって落下流路１７内を本体部２の下端の放出口５、更には外部に自重落下させ、これにより、皮６２が除去された実６１のみからなるコーヒー材料を得て美味しいコーヒーを煎じることが可能となる。
【００３６】
このようにして、本実施例に係るコーヒー豆分別処理装置１によれば、機構部分のみからなる本体部２及び排出ダクト部３０に一台の吸引ブロワー５０を接続した簡略な構成でありながら、実６１と皮６２が混在する粉砕コーヒー豆６０からその実６１と皮６２とを曲折した落下流路１７を落下させつつ効率よく、かつ、確実に分別し、実６１のみからなるコーヒー材料を得ることができる。
【００３７】
また、本実施例に係るコーヒー豆分別処理装置１によれば、本体部２に、前記傾斜仕切り板１６及び一対ずつの平行板１３ａ、１３ｂの内方側並びに曲折した落下流路１７を表出させる縦長長方形状の表出用開口部１８及びこの表出用開口部１８全体を覆うように取り付けた透明板１９とから形成される視認窓部２０を設けているので、落下流路１７を落下する粉砕コーヒー豆６０の実６１と皮６２との分別状態を外部から視認することができ、粉砕コーヒー豆６０の分別処理状況を確認することができる。
【００３８】
更に、本実施例によれば、本体部２に、６個の空気導入部１４、６個の空気通過穴部１５、６個の傾斜仕切り板１６を設けた構造としているので、本体部２内において粉砕コーヒー豆６０を曲折した距離の長い落下流路１７内において合計１２回に及ぶ多数回にわたって曲折させつつ吸引ブロワー５０の吸引動作により実６１と皮６２とを効率よく、かつ、確実に分別することができる粉砕コーヒー豆分別処理装置１を提供することができる。
【産業上の利用可能性】
【００３９】
本発明は、上述した粉砕コーヒー豆の分別処理に適用する他、例えば別種の豆類、穀類等の粉砕物から実と皮とを分別処理する用途に広範に適用可能である。
【図面の簡単な説明】
【００４０】
【図１】本発明の実施例に係るコーヒー豆分別処理装置の正面図である。
【図２】本実施例に係るコーヒー豆分別処理装置の左側面図面である。
【図３】本実施例に係るコーヒー豆分別処理装置の右側面図である。
【図４】図２のＡ―Ａ線概略拡大断面図である。
【図５】本実施例に係るコーヒー豆分別処理装置の平面図である。
【図６】本実施例に係るコーヒー豆分別処理装置の底面の一部を示す図である。
【図７】本実施例に係るコーヒー豆分別処理装置における粉砕コーヒー豆の分別処理の説明図である。
【符号の説明】
【００４１】
１    コーヒー豆分別処理装置
２    本体部
３    受入口
４    上端部
５    放出口
６    基台板
１１ａ  側壁部
１１ｂ  側壁部
１１ｃ  側壁部
１１ｄ  側壁部
１２    四角穴
１３ａ  平行板
１３ｂ  平行板
１４    空気導入部
１５    空気通過穴部
１６    傾斜仕切り板
１７    落下流路
１８    表出用開口部
１９    透明板
２０    視認窓部
２１    内枠体
２１ａ  壁部
２１ｂ  壁部
２１ｃ  壁部
２１ｄ  壁部
２２    外装板
２３    六角ネジ
２４    ナット
２５    ネジ
３０    排出ダクト部
３１    添設側板
３３    連結筒
３４    化粧板
３５    ネジ
４１    吸引流路
４２    端部接続板
４２ａ  穴
４３    孔
５０    吸引ブロワー
６０    粉砕コーヒー豆
６１    実
６２    皮
【図１】
2008104651.tif 000003
【図２】
2008104651.tif 000004
【図３】
2008104651.tif 000005
【図４】
2008104651.tif 000006
【図５】
2008104651.tif 000007
【図６】
2008104651.tif 000008
【図７】
2008104651.tif 000009